(57)【要約】　　　（修正有）【課題】自転車用ランプとして使用できるＬＥＤヘッドランプの提供。【解決手段】ランプカバー１、リフレクタ２、ＬＥＤランプ３及び基板、ランプシート１０、カバーフレーム、電池シート、バネ収容部品、電池シートカバー２５、Ｃ形スナップリング、ベースシートで組成された構造に、ヘッドバンドＬを組み合わせれば、頭部に装着されるヘッドバンドとされ、上述の構造に別のベースシート、位置決めシート、位置決めカバー、後部カバー、横棒シートが組み合わされることで、自転車の横棒取付座に取り付けられて自転車用ランプとして使用できるものとされ、ヘッドランプと自転車用ランプの両用機能を具え、構造の共用部分により、製造と組立のいずれに対しても経済的である。【選択図】　　　　図１
0003097442.tif 000002
【実用新案登録請求の範囲】
【請求項１】
自転車用ランプとして使用できるＬＥＤヘッドランプにおいて、ランプシートの前方と左右方向に相互に垂直に交差する収容室が設けられ、前方の収容室に、ランプカバー、リフレクタ、ＬＥＤランプ及び基板、カバーフレームで組成された発光構造が設けられ、左右の収容室に電池シート、電池、バネ収容部品、電池シートカバーで組成された電源構造が設けられ、
該ランプシートの左右方向の収容室の内壁に、等分に位置決め翼片が配設され、バネ収容部品の挿入部分に位置決め翼片に対応する位置決め溝が等分に配設されてバネ収容部品が収容室内に位置決めされ、該バネ収容部品内にバネが設けられて該バネが電池シートカバーの柱体を付勢し、該ランプシートの左右の収容室の電池シートカバーが挿入される部分に係止溝が設けられ、電池シートカバーの挿入部分に対応する係止突起が設けられ、電池シートカバーの内面に環状に弾性係止片が設けられた位置決め片が設けられて、電池シートの環状溝中に嵌合され、該ランプシートの底面に複数のラチェット歯が設けられて、ランプシートの角度調整時に複数のラチェット歯により位置決めが形成され、
電池シートが円筒状を呈し、円周部分に等分に電池収容溝が設けられて複数の電池が収容され、該電池シートの一端にバネが装着される柱体が設けられ、もう一端に電池シートカバーの枢設用の環状溝が設けられ、
電池シートカバーのギア部に回転に供される開閉溝が設けられ、
ベースシートの両側に枢接部が設けられ、該ベースシートの枢接部に近い内側に位置決め孔と係止溝が設けられてＣ形スナップリングの二つの自由端に対応する位置決め螺子孔柱とフックが設けられ、位置決め孔によりネジが位置決め螺子孔柱にねじ込まれ、さらにフックが係止溝に係止され、Ｃ形スナップリングがランプシートをベースシートに制限し、ベースシートの一側の枢接部に貫通する穿孔が設けられ、電池シートが穿孔により挿入或いは取り出され、該ベースシートの底面のランプシートのラチェット歯に対応する部分に、弾性フック或いは固定フックが設けられたことを特徴とする、自転車用ランプとして使用できるＬＥＤヘッドランプ。
【請求項２】
請求項１記載の自転車用ランプとして使用できるＬＥＤヘッドランプにおいて、ベースシートの周囲にスナップリングが設けられてヘッドバンドが通されて頭部への着用に供されることを特徴とする、自転車用ランプとして使用できるＬＥＤヘッドランプ。
【請求項３】
請求項１記載の自転車用ランプとして使用できるＬＥＤヘッドランプにおいて、ベースシートの背面に螺子孔柱が設けられて位置決めシートが固定され、後部カバー、位置決めシート、位置決めカバー、位置決め板が組み合わされ、後部カバー、位置決めシート、位置決めカバー、位置決め板に挿入孔が設けられて横棒取付部の挿入部に套設固定され、横棒取付部のＣ形形状により自転車のハンドルに装着可能とされ、後部カバーと横棒取付部が分離式とされ、後部カバーの後方の位置決めシートと位置決めカバーの間に対応する位置に溝が設けられて位置決め板が挿入され、該位置決め板の一端に柱体が設けられ、位置決めシートとこの柱体の間にバネが装着され、位置決め板の別端がプッシュボタンとされて孔の外に弾性突出し、該横棒取付部の挿入部の外周に切欠きが設けられて挿入孔の内縁と係止され、該位置決め板のプッシュボタンが押圧されることで係止関係が解除され、該横棒取付部の上下の凸耳に切欠きが形成されて切欠き部分にパッドブロックが嵌め込まれ、上の凸耳とパッドブロックの間に対応する傾斜面が設けられ、下の凸耳とパッドブロックの間に対応する位置決め孔と位置決め柱が設けられ、ボルトとナットで固定され、横棒取付部の上の凸耳の円弧辺部分に複数の位置決めラチェット歯が設けられ、後部カバーの対応部分にこれに対応する複数の位置決めラチェット歯が設けられ、これにより後部カバーと横棒取付部の間の角度が調整されることを特徴とする、自転車用ランプとして使用できるＬＥＤヘッドランプ。
【考案の詳細な説明】
【０００１】
【考案の属する技術分野】
本考案は自転車用ランプとして使用できるＬＥＤヘッドランプに係り、特に、自転車用ランプとしての使用もできる頭部着用式のヘッドランプに係り、ランプシート内部に垂直に連通する二つの収容室があり、前方の収容室にランプカバー、リフレクタ、ＬＥＤランプ及び基板、フレームカバーが取り付けられ、左右に連通する収容室に電池シート、スプリングシート、電池シートカバーが収容されてＣ形スナップリングでランプシートがベースシート両側の枢接部に制限され、該ランプシートとベースシートの底部に位置決め用の複数のラチェット歯と弾性フックが設けられてランプシートの照射角度を調整でき、該ベースシートにヘッドバンドが組み合わされて頭部に着用できるほか、別のベースシートに配置されて、後部カバー、位置決めシート、位置決めカバー、位置決め板等の部品と結合されることで、自転車のハンドルの横棒取付部に後部カバーにより分離可能に取り付けられ、着脱と携帯に便利とされた、自転車用ランプとして使用できるＬＥＤヘッドランプに関する。
【０００２】
【従来の技術】
現在市場には、頭部に着用されるヘッドランプであって自転車用ランプとしても使用できるものはない。このため両者を一体に結合させて共用できるようにすると共に、従来のヘッドランプと自転車用ランプの欠点も解決することが望ましい。
【０００３】
【考案が解決しようとする課題】
本考案はヘッドランプと自転車用ランプの二種類の用途を有し、互換性を有する自転車用ランプとして使用できるＬＥＤヘッドランプを提供するものである。
【０００４】
本考案の解決する技術問題は、従来のヘッドランプと自転車用ランプがいずれも単独個体とされ、製造上、共用と互換性を具備せず、別々に型を製作し、製造、組立を行わねばならず、経済性に符合しないことである。
【０００５】
本考案の解決する別の技術問題は、従来のヘッドランプが、構造が非常に簡単であり、本体が固定式とされ、光の照射角度を調整できず、実際の必要に応じて遠く、或いは近くを照射することができず、不便であることである。
【０００６】
本考案の解決するさらに別の技術問題は、従来の電池シートが一体にランプシートに形成され、電池シートを閉じるための電池シートカバーが別に製造されるが、電池シートカバーが非常に脱落、紛失しやすく、電池シートカバーを閉じることができなくなる状況が発生しやすいことである。
【０００７】
【課題を解決するための手段】
請求項１の考案は、自転車用ランプとして使用できるＬＥＤヘッドランプにおいて、ランプシートの前方と左右方向に相互に垂直に交差する収容室が設けられ、前方の収容室に、ランプカバー、リフレクタ、ＬＥＤランプ及び基板、カバーフレームで組成された発光構造が設けられ、左右の収容室に電池シート、電池、バネ収容部品、電池シートカバーで組成された電源構造が設けられ、
該ランプシートの左右方向の収容室の内壁に、等分に位置決め翼片が配設され、バネ収容部品の挿入部分に位置決め翼片に対応する位置決め溝が等分に配設されてバネ収容部品が収容室内に位置決めされ、該バネ収容部品内にバネが設けられて該バネが電池シートカバーの柱体を付勢し、該ランプシートの左右の収容室の電池シートカバーが挿入される部分に係止溝が設けられ、電池シートカバーの挿入部分に対応する係止突起が設けられ、電池シートカバーの内面に環状に弾性係止片が設けられた位置決め片が設けられて、電池シートの環状溝中に嵌合され、該ランプシートの底面に複数のラチェット歯が設けられて、ランプシートの角度調整時に複数のラチェット歯により位置決めが形成され、
電池シートが円筒状を呈し、円周部分に等分に電池収容溝が設けられて複数の電池が収容され、該電池シートの一端にバネが装着される柱体が設けられ、もう一端に電池シートカバーの枢設用の環状溝が設けられ、
電池シートカバーのギア部に回転に供される開閉溝が設けられ、
ベースシートの両側に枢接部が設けられ、該ベースシートの枢接部に近い内側に位置決め孔と係止溝が設けられてＣ形スナップリングの二つの自由端に対応する位置決め螺子孔柱とフックが設けられ、位置決め孔によりネジが位置決め螺子孔柱にねじ込まれ、さらにフックが係止溝に係止され、Ｃ形スナップリングがランプシートをベースシートに制限し、ベースシートの一側の枢接部に貫通する穿孔が設けられ、電池シートが穿孔により挿入或いは取り出され、該ベースシートの底面のランプシートのラチェット歯に対応する部分に、弾性フック或いは固定フックが設けられたことを特徴とする、自転車用ランプとして使用できるＬＥＤヘッドランプとしている。
請求項２の考案は、請求項１記載の自転車用ランプとして使用できるＬＥＤヘッドランプにおいて、ベースシートの周囲にスナップリングが設けられてヘッドバンドが通されて頭部への着用に供されることを特徴とする、自転車用ランプとして使用できるＬＥＤヘッドランプとしている。
請求項３の考案は、請求項１記載の自転車用ランプとして使用できるＬＥＤヘッドランプにおいて、ベースシートの背面に螺子孔柱が設けられて位置決めシートが固定され、後部カバー、位置決めシート、位置決めカバー、位置決め板が組み合わされ、後部カバー、位置決めシート、位置決めカバー、位置決め板に挿入孔が設けられて横棒取付部の挿入部に套設固定され、横棒取付部のＣ形形状により自転車のハンドルに装着可能とされ、後部カバーと横棒取付部が分離式とされ、後部カバーの後方の位置決めシートと位置決めカバーの間に対応する位置に溝が設けられて位置決め板が挿入され、該位置決め板の一端に柱体が設けられ、位置決めシートとこの柱体の間にバネが装着され、位置決め板の別端がプッシュボタンとされて孔の外に弾性突出し、該横棒取付部の挿入部の外周に切欠きが設けられて挿入孔の内縁と係止され、該位置決め板のプッシュボタンが押圧されることで係止関係が解除され、該横棒取付部の上下の凸耳に切欠きが形成されて切欠き部分にパッドブロックが嵌め込まれ、上の凸耳とパッドブロックの間に対応する傾斜面が設けられ、下の凸耳とパッドブロックの間に対応する位置決め孔と位置決め柱が設けられ、ボルトとナットで固定され、横棒取付部の上の凸耳の円弧辺部分に複数の位置決めラチェット歯が設けられ、後部カバーの対応部分にこれに対応する複数の位置決めラチェット歯が設けられ、これにより後部カバーと横棒取付部の間の角度が調整されることを特徴とする、自転車用ランプとして使用できるＬＥＤヘッドランプとしている。
【０００８】
【考案の実施の形態】
本考案の問題解決に応用する技術手段の一つは、ベースシートの三辺にスナップリングを設けて伸縮性及び長さ調整が行えるヘッドバンドを通し、該ベースシート背面に円弧面を形成し、並びに弾性パッドを結合し、頭部に着用時に、該弾性パッドが安定して快適に額に当接し、ヘッドランプとしての使用に供され、別にもう一種類のベースシートの形式を設け、それは背面に位置決めシート、位置決めカバー、後部カバーを設置し、該位置決めシート、位置決めカバー、後部カバーに挿入孔を設け、自転車ハンドルの横棒取付部に挿嵌して結合できるようにし、該後部カバーに更に解除できる位置決め板を設けて全体のヘッドランプを着脱自在とし、盗難を防止できるようにする、というものである。
【０００９】
本考案の問題解決に応用する技術手段の第２は、ヘッドバンドのランプシートとベースシートの間に複数のラチェット歯と弾性フックを設けて、ランプシートの照射角度を調整できるようにする、というものである。
【００１０】
本考案の問題解決に応用する技術手段の第３は、電池シートを円筒形カートリッジ式設計とし、ランプシート電池シート収容室より引き出せるようにし、該電池シートの円周に四つの電池収容溝を設けて四つの電池を装填できるようにし、該電池シートの一端にバネに付勢される柱体を設け、もう一端に電池シートカバーを套設するための環状溝を設け、電池シートカバーを回転自在とすると共に、電池シートカバーの外壁と収容室の内壁に対応する係止突起と係止溝を設けて、電池シートカバーを開閉自在とし、電池シートカバー開放時にバネ収容部品のバネにより電池を弾き出せるようにする、というものである。
【００１１】
【実施例】
図１の本考案の斜視図、図２の本考案の分解斜視図、及び図３の本考案のヘッドランプの平面断面図を参照されたい。本考案は、ランプシート１０の前方に収容室１１が設けられ、該収容室１１の内部に、透明なランプカバー１、リフレクタ２、複数のＬＥＤランプ３及び基板４、フレームカバー５で組成された発光構造が取り付けられ、該収容室１１の両側に螺子孔柱１２が設けられ、ランプカバー１、リフレクタ２、基板４に該螺子孔柱１２に対応する貫通孔６が設けられ、ネジＰにより全体の発光構造がランプシート１０の前方に螺子止めされる。図４は本考案のヘッドランプのスイッチボタンが押圧された時の点灯状態表示図である。図５は本考案のヘッドランプのスイッチボタンが押圧された時の正面図である。該ランプシート１０の上部にスイッチボタン１３が設けられ、基板４にそれに対応する切り換えスイッチ７が設けられてスイッチボタン１３により切り換えスイッチ７が押圧されて、点灯或いは滅灯の目的が達成される。透明なランプカバー１の外部には複数の位置決め溝８が設けられてフレームカバー５がその背面に設けられた位置決めフック９により係止される。
【００１２】
該ランプシート１０の収容室１１の後方を中空円筒状の収容室１４が貫通し、該収容室１４に電池シート２０、バネ収容部品３０、電池シートカバー２５が取り付けられる。
【００１３】
そのうち、該収容室１４と電池シート２０の挿嵌部分に、対応する凸縁１５と凹溝２１が設けられ、該電池シート２０のプラス極とマイナス極導電片Ａ、Ｂが正確に基板４のプラス極とマイナス極ピンａ、ｂに連接され導通するものとされ、該電池シート２０は半分に切断された対称体が螺子止めされて一体とされてなり、円周部分に三つの電池収容溝２２が設けられて三つの電池Ｄを収容でき、該電池シート２０の一端にバネＳに付勢される柱体２３が設けられ、該電池シート２０のもう一端に環状溝２４が設けられて電池シートカバー２５の套設に供される。
【００１４】
該収容室１４内壁に複数の等分配置された位置決め翼片１６が設けられ、バネ収容部品３０の挿入部分に、該位置決め翼片１６に対応する位置決め溝３１が等分配置され、該バネ収容部品３０が位置決め溝３１と位置決め翼片１６により収容室１４内に位置決めされ、該バネ収容部品３０内部にバネＳが収容されて電池シート２０の柱体２３を付勢するのに供される。
【００１５】
該収容室１４の電池シートカバー２５が挿入される内壁に２段の対応する係止溝１７が設けられ、電池シートカバー２５の対応部分に２段の対応する係止突起２６が設けられ、該電池シートカバー２５の内面にネジＰで位置決め片２７が固定され、該位置決め片２７の中心が中空とされ、並びに環状に等分配置された弾性係止片２８が設けられ、該弾性係止片２８が電池シート２０の環状溝２４中に係合し、これにより電池シートカバー２５と電池シート２０が結合される。図６、７は本考案のヘッドランプの電池シートカバーの閉合、開放状態の側面図であり、図８、９は本考案のヘッドランプの電池シートカバーの開放、閉合状態の平面断面図である。該電池シートカバー２５の外面に一字形の開閉溝２９が設けられ、コイン或いは類似物で該電池シートカバー２５を自由に回転させられ、電池シートカバー２５を開放或いは閉合させる時は、いずれも係止突起２６を回して収容室１１の係止溝１７を出し入れする。
【００１６】
該ランプシート１０の底部の両側位置に複数のラチェット歯１８が設けられて角度調整時の位置決めに用いられ、該ベースシート４０はＵ形を呈し、両側に枢接部４１、４２が設けられ、ランプシート１０の枢接に供され、一側の枢接部４２に貫通する穿孔４３が設けられて、電池シート２０が該穿孔４３により取り付け取り外し可能とされ、両側の枢接部４１、４２に接近する内側に、位置決め孔４４と係止溝４５が設けられ、Ｃ形スナップリングＣを利用してランプシート１０の階段縁１９が制限され、該Ｃ形スナップリングＣの自由端に、該位置決め孔４４と係止溝４５に対応する位置決め螺子孔柱Ｃ１とフックＣ２が設けられ、ネジＰにより位置決め孔４４に固定され、及びフックＣ２が係止溝４５中に係止される。図１０、図１１は本考案のヘッドランプの角度が零度、下向き６０度に調整された時の表示図であり、図１２、図１３は本考案のヘッドランプの角度が零度、下向き６０度に調整された時の断面図である。ベースシート４０の底面両側には対応する弾性フック４６が設けられて、ランプシート１０の複数のラチェット歯１８と角度調整時の位置決め作用を形成する。
【００１７】
上述の各部品が組み合わされて成るＬＥＤランプ構造の実際の操作応用について以下に説明する。
【００１８】
図１４は本考案のヘッドランプを頭部に着用した使用状態を示す。該ベースシート４０の背面には弾性パッド４７が設けられて額に当接し、さらにベースシート４０の左右及び上方にスナップリング４８が設けられ、スナップリング４８中にヘッドバンドＬが通され、該ヘッドバンドＬが伸縮弾性と長さ調節の機能を具備し、頭部の大きさに合わせて適当に調整でき、頭部に着用してヘッドランプとして使用され、登山やキャンプ、車内での読書、暗いところでの作業等で使用される。
【００１９】
図１５、１６は本考案が自転車用ランプとして使用された時の斜視図及び分解斜視図である。図１７、１８は本考案が自転車用ランプとして使用された時の平面図、側面断面図である。その構造は、上述のランプシート１０、電池シート２０、バネ収容部品３０、電池シートカバー２５及び透明なランプカバー１、リフレクタ２、複数のＬＥＤランプ３、基板４、フレームカバー５で組成された発光構造が、もう一つのベースシート４０’に設置され、該ベースシート４０’と上述のベースシート４０の構造はほぼ同じである。図１９は本考案を自転車用ランプとして使用し下向き３０度に角度調整した時の断面図である。異なる所は以下のとおりである。該ベースシート４０’の底面両側に対応する固定フック４６’が設けられ、ランプシート１０の複数のラチェット歯１８と角度固定作用を形成し、該ベースシート４０’の背面両側に螺子孔柱４９が設けられてネジＰにより位置決めシート５０に固定され、該位置決めシート５０の両側及び上方に貫通孔５１、５２が設けられ、それぞれ小ネジＰで位置決めシート５０がベースシート４０’の背面に固定され、及びボルトＱ、ナットＮで位置決めシート５０の上方に後部カバー６０が固定されている。
【００２０】
該位置決めシート５０に複数の係止溝５３と複数の位置決め孔５４が設けられ、位置決めカバー５５が、その複数のフック５６と対応する複数の位置決め柱５７により対応連結され、該位置決めシート５０と位置決めカバー５５の間に収容空間が保留されて、位置決め板８０が挿入され、該位置決めシート５０と位置決めカバー５５の中間に対応する挿入孔５８、５９が設けられて横棒取付部８０の挿入部８１への套設に供される。
【００２１】
該後部カバー６０の前方開口に階段縁６１が設けられて、ベースシート４０’の背面に套設され、該後部カバー６０内部に収容空間６２が設けられ、位置決めシート５０と位置決めカバー５５の設置に供され、該後部カバー６０の上方に貫通孔６３が設けられてボルトＱが貫通し、該後部カバー６０の後方に、位置決めシート５０と位置決めカバー５５の間に対応するように溝６４が設けられ、位置決め板７０が挿入され、該後部カバー６０の後部カバー６０部に挿入孔６５が設けられて、横棒取付部８０の挿入部８１が挿入される。
【００２２】
該位置決め板７０の一端に柱体７１が設けられ、並びに位置決めシート５０と柱体７１の間にバネ７２が装着され、該位置決め板７０の別端がプッシュボタン７３とされ、バネ７２の弾力により、位置決め板７０のプッシュボタン７３が溝６４より突出し、位置決め板７０押圧に供され、該位置決め板７０の中間の横棒取付部８０の挿入部８１に対応する部分に挿入孔７４が設けられ、該挿入孔７４の円周に斜縁７５が設けられ、横棒取付部８０の挿入部８１に套設される。
【００２３】
該横棒取付部８０はＣ形を呈し、自転車１００のハンドル１０１に取り付けられ、該横棒取付部８０の垂直部分に挿入部８１が設けられ、並びに該挿入部８１の上端に斜縁８２が設けられ、挿入部８１の外周に２分の１円の切欠き８３が設けられ、該横棒取付部８０の水平部分に上下の二つの凸耳８４、８５が設けられ、上の凸耳８４の底部が傾斜面８６とされ、下の凸耳８５の中間に貫通孔８８が設けられてボルトＱとナットＮによりパッドブロック９０が固定される。図２０は本考案が自転車の正面に取り付けられた状態表示図である。図２１は本考案が自転車に右傾斜した状態で取り付けられた状態表示図である。このほか、上の凸耳８４の上部の円弧辺に複数の位置決めラチェット歯８９が設けられ、後部カバー６０の底部に対応する複数の位置決めラチェット歯６６が設けられ、各メーカーの自転車１００のハンドル１０１の角度の違いに合わせて、該後部カバー６０の位置決めラチェット歯６６がハンドル１０１の角度により調整されて横棒取付部８０の位置決めラチェット歯８９に固定される。
【００２４】
該パッドブロック９０の大きさは該横棒取付部８０の上下の二つの凸耳８４、８５の間に形成される切欠きを塞ぐものとされ、該パッドブロック９０の上部に傾斜面９１が形成され、底部に位置決め柱９２が設けられて下の凸耳８５の位置決め孔８７中に挿入位置決めされ、またパッドブロック９０の中間に貫通孔９３が設けられてボルトＱの貫通に供される。
【００２５】
以上の部品が組み合わされてなるＬＥＤ自転車用ランプ構造の実際の操作応用は以下のとおりである。
【００２６】
図２２は本考案が自転車ハンドルに取り付けられた使用状態表示図である。自転車１００のハンドル１０１に横棒取付部８０が套設固定され、後部カバー６０の底部の挿入孔６５が横棒取付部８０の挿入部８１に套設され、位置決め板７０の挿入孔７４が弾性移動作用を有することを利用し、横棒取付部８０の挿入部８１が挿入孔７４に挿入される時、挿入孔７４の内縁が挿入部８１の切欠き８３中に係止される。図２３は図１８のＰ−Ｐ断面図である。解除時には、位置決め板７０のプッシュボタン７３を押圧すれば、挿入孔７４が挿入部８１の位置に合わされ、挿入孔７４の内縁が挿入部８１の切欠き８３より離脱し、横棒取付部８０より後部カバー６０を取り出すことができる。
【００２７】
【考案の効果】
本考案は従来の技術と比較して、以下のような効果を有している。則ち、ランプカバー、リフレクタ、ＬＥＤランプ及び基板、ランプシート、カバーフレーム、電池シート、バネ収容部品、電池シートカバー、Ｃ形スナップリング、ベースシートで組成された構造に、ヘッドバンドを組み合わせれば、頭部に装着されるヘッドバンドとされ、上述の構造に僅かに別のベースシート、位置決めシート、位置決めカバー、後部カバー、横棒シートが組み合わされることで、自転車の横棒取付座に取り付けられて自転車用ランプとして使用できるものとされ、ヘッドランプと自転車用ランプの両用機能を具え、構造の共用部分により、製造と組立のいずれに対しても経済的である。
【００２８】
本考案はまた、頭部に装着されるヘッドバンドとして使用される時、ランプシートが使用者の実際の必要により、ランプシートの照射角度を調整でき、遠近を照射できる機能を有している。
【００２９】
本考案はさらに、電池シートカバーが複数の等分配置された弾性フックにより電池シートの一端の環状溝に係止され、ゆえに電池シートカバーが回転自在とされるが、脱落遺失の恐れがない。
【００３０】
総合すると、本考案は、一種の自転車用ランプとして使用できるＬＥＤヘッドランプを提供し、本件考案者が実際に製造完成し反復試験したところ、確実に本考案の予期された機能と効果を達成することが実証された。また、本考案の構造は従来にはなく、新規性を有し、且つ産業上の利用価値を有し、実用性と進歩性を具え、ゆえに実用新案登録の要件に符合する。
【図面の簡単な説明】
【図１】本考案のヘッドランプの斜視図である。
【図２】本考案のヘッドランプの分解斜視図である。
【図３】本考案のヘッドランプの平面断面図である。
【図４】本考案のヘッドランプのスイッチボタン押圧時の点灯状態表示図である。
【図５】本考案のヘッドランプのスイッチボタン押圧時の正面図である。
【図６】本考案のヘッドランプの電池シートカバー閉合状態時の側面図である。
【図７】本考案のヘッドランプの電池シートカバー開放状態時の側面図である。
【図８】本考案のヘッドランプの電池シートカバー閉合状態時の平面断面図である。
【図９】本考案のヘッドランプの電池シートカバー開放状態時の平面断面図である。
【図１０】本考案のヘッドランプが零度に角度調整された時の状態表示図である。
【図１１】本考案のヘッドランプが下向き６０度に角度調整された時の状態表示図である。
【図１２】本考案のヘッドランプが零度に角度調整された時の断面図である。
【図１３】本考案のヘッドランプが下向き６０度に角度調整された時の断面図である。
【図１４】本考案のヘッドランプが頭部に装着された使用状態表示図である。
【図１５】本考案が自転車用ランプとして使用される実施例の斜視図である。
【図１６】本考案が自転車用ランプとして使用される実施例の分解斜視図である。
【図１７】本考案が自転車用ランプとして使用される時の平面断面図である。
【図１８】本考案が自転車用ランプとして使用される時の側面断面図である。
【図１９】本考案が自転車用ランプとして使用されて下向き３０度に角度調整された時の側面断面図である。
【図２０】本考案が自転車用ランプとして自転車の正面に取り付けられた状態表示図である。
【図２１】本考案が自転車用ランプとして自転車に右向きに傾斜するように取り付けられた状態表示図である。
【図２２】本考案が自転車用ランプとして自転車ハンドルに取り付けられた使用状態表示図である。
【図２３】図１８のＰ−Ｐ断面図である。
【符号の説明】
１　ランプカバー
２　リフレクタ
３　ＬＥＤランプ
４　基板
５　フレームカバー
６　貫通孔
７　切り換えスイッチ
８　位置決め溝
９　位置決めフック
１０　ランプシート
１１　収容室
１２　螺子孔柱
１３　スイッチボタン
１４　収容室
１５　凸縁
１６　位置決め翼片
１７　係止溝
１８　ラチェット歯
１９　階段縁
２０　電池シート
２１　凹溝
２２　電池収容溝
２３　柱体
２４　環状溝
２５　電池シートカバー
２６　係止突起
２７　位置決め片
２８　弾性係止片
２９　一字形の開閉溝
３０　バネ収容部品
３１　位置決め溝
４０　ベースシート
４１、４２　枢接部
４３　穿孔
４４　位置決め孔
４５　係止溝
４６　弾性フック
４８　スナップリング
４０’　ベースシート
４６’　固定フック
４９　螺子孔柱
５０　位置決めシート
５１、５２　貫通孔
５３　係止溝
５４　位置決め孔
５５　位置決めカバー
５６　フック
５７　位置決め柱
５８、５９　挿入孔
６０　後部カバー
６１　階段縁
６２　収容空間
６３　貫通孔
６４　溝
６６　位置決めラチェット歯
７０　位置決め板
７１　柱体
７２　バネ
７３　プッシュボタン
７４　挿入孔
７５　斜縁
８０　横棒取付部
８１　挿入部
８２　斜縁
８３　切欠き
８４、８５　凸耳
８６　傾斜面
８７　位置決め孔
８８　貫通孔
８９　位置決めラチェット歯
９０　パッドブロック
９１　傾斜面
９２　位置決め柱
９３　貫通孔
１００　自転車
１０１　ハンドル
Ｐ　ネジ
Ｑ　ボルト
Ｓ　バネ
Ｎ　ナット
Ｃ　Ｃ形スナップリング
Ｃ１　位置決め螺子孔柱
Ｃ２　フック
Ａ、Ｂ　導電片
ａ、ｂ　ピン
Ｌ　ヘッドバンド
【図１】
0003097442.tif 000003
【図２】
0003097442.tif 000004
【図３】
0003097442.tif 000005
【図４】
0003097442.tif 000006
【図５】
0003097442.tif 000007
【図６】
0003097442.tif 000008
【図７】
0003097442.tif 000009
【図８】
0003097442.tif 000010
【図９】
0003097442.tif 000011
【図１０】
0003097442.tif 000012
【図１１】
0003097442.tif 000013
【図１２】
0003097442.tif 000014
【図１３】
0003097442.tif 000015
【図１４】
0003097442.tif 000016
【図１５】
0003097442.tif 000017
【図１６】
0003097442.tif 000018
【図１７】
0003097442.tif 000019
【図１８】
0003097442.tif 000020
【図１９】
0003097442.tif 000021
【図２０】
0003097442.tif 000022
【図２１】
0003097442.tif 000023
【図２２】
0003097442.tif 000024
【図２３】
0003097442.tif 000025